(57)【要約】【課題】デッキを収納位置から補充位置にスライドさせることを容易に行うこと。【解決手段】ケース本体１に収納位置と補充位置との間で前後方向に沿ってスライド可能に設けられ、収納位置に配置される場合に、前端部に形成された通風孔部２６が吸込口５に連通するデッキ２０を備え、デッキ２０は、上面２１ａが商品を載置するための載置面を構成する載置板２１と、アーム部２２を介して載置板２１の前端部より離隔する態様で配設されたフェンス部２４と、フェンス部２４の前面に沿って上方に向けて延在する上延部２５１と、その延在端部より漸次下方に傾斜する態様で前方に延在することにより、上延部２５１との相互間に手指の進入を許容するスペースＳを形成して把手として機能する前延部２５２と、その延在端部より漸次後方に傾斜する態様で上方に向けて延在してプライスカード３０が装着される装着部２５３とを有するプライスレール２５とを有している。【選択図】図３
2020174908.tif 000002
【特許請求の範囲】
【請求項１】
ケース本体に構成された商品収容域の底部に、最も後方となる収納位置と最も前方となる補充位置との間で前後方向に沿ってスライド可能に設けられ、かつ前記収納位置に配置される場合に、前端部に形成された通風孔部が前記ケース本体の内部において前記商品収容域と区画された通風路の入口となる吸込口に連通するデッキを備えたショーケースにおいて、
前記デッキは、
上面が商品を載置するための載置面を構成する載置板と、
左右一対のアーム部を介して前記載置板の前端部より離隔する態様で配設されることで該載置板との間に前記通風孔部を形成し、かつ上端部が該載置板の上面よりも上方に突出するフェンス部と、
前記フェンス部の前面に沿って上方に向けて延在する上延部と、前記上延部の延在端部より前方に向けて延在する前延部と、前記前延部の延在端部より漸次後方に傾斜する態様で上方に向けて延在してプライスカードが装着される装着部とを有するプライスレールと
を有し、
前記前延部は、前記上延部の延在端部より漸次下方に傾斜する態様で前方に延在することにより、該上延部との相互間に手指の進入を許容するスペースを形成して把手として機能することを特徴とするショーケース。
【請求項２】
前記プライスレールは、前記フェンス部の左右方向の全域に亘って形成されたことを特徴とする請求項１に記載のショーケース。
【発明の詳細な説明】
【技術分野】
【０００１】
本発明は、ショーケースに関するものである。
【背景技術】
【０００２】
従来、前面に開口を有したケース本体の収納室に商品載置棚が複数段設けられ、各商品載置棚に商品が載置されて陳列されたオープンショーケースと称されるショーケースが知られている。
【０００３】
このようなショーケースでは、ケース本体の内部であって収納室の外部となる個所に、収納室の内部空気が通過する通風路が形成されている。通風路は、入口となる吸込口が収納室の下部に形成されるとともに、出口となる吹出口が収納室の上部に形成されており、その途中には蒸発器が配設されている。この通風路を通過する空気は、蒸発器で冷却され、その後に吹出口より吹き出される。吹出口から吹き出された空気が吸込口に吸い込まれて循環することにより、収納室におけるケース本体の前面開口の近傍に冷気のエアカーテンが形成され、商品載置棚に陳列された商品が所望の温度に冷却される。
【０００４】
上記ショーケースにおいては、収納室の底部近傍にデッキが設けられており、デッキの上面にも商品載置棚と同様に商品が載置されて陳列されている。このデッキは、最も後方となる収納位置と最も前方となる補充位置との間で前後方向に沿ってスライド可能に設けられており、収納位置に配置される場合に、前端部に形成された通風孔部が吸込口に連通している。そのようなデッキにおいても、上面に陳列された商品が上記冷気のエアカーテンにより所望の温度に冷却される（例えば、特許文献１参照）。
【先行技術文献】
【特許文献】
【０００５】
【特許文献１】特開２０１６−２０２３２８号公報
【発明の概要】
【発明が解決しようとする課題】
【０００６】
ところで、上記デッキにおいては、収納位置に配置される場合に、エアカーテンを構成する冷気が通風孔部及び吸込口を通過するように、通風孔部の前方側にフェンス部が設けられているとともに、このフェンス部の前方側にプライスレールが設けられているのが一般的である。
【０００７】
プライスレールは、フェンス部の前面に沿って上方に向けて延在する上延部と、上延部の延在端部より前方に向けて水平延在する前延部と、前延部の延在端部より漸次後方に傾斜する態様で上方に向けて延在してプライスカードが装着される装着部とを有している。そして、プライスレールの左右両端域に、デッキを収納位置から補充位置にスライドさせるための把手部が設けられている。
【０００８】
しかしながら、フェンス部及びプライスレールは、左右方向が長手方向となる長尺状のものであるので、商品の補充作業等を行う作業者がプライスレールの左右両端域に設けられた把手部に手指を引っ掛けてデッキを収納位置から補充位置にスライドさせることは煩わしく、結果的に、フェンス部を把持してデッキを収納位置から補充位置にスライドさせてしまうことがあった。このようにフェンス部を把持してデッキをスライドさせると、フェンス部がその材質等により変形したり、破損したりする虞れがあった。
【０００９】
本発明は、上記実情に鑑みて、デッキを収納位置から補充位置にスライドさせることを容易に行うことができるショーケースを提供することを目的とする。
【課題を解決するための手段】
【００１０】
上記目的を達成するため、本発明に係るショーケースは、ケース本体に構成された商品収容域の底部に、最も後方となる収納位置と最も前方となる補充位置との間で前後方向に沿ってスライド可能に設けられ、かつ前記収納位置に配置される場合に、前端部に形成された通風孔部が前記ケース本体の内部において前記商品収容域と区画された通風路の入口となる吸込口に連通するデッキを備えたショーケースにおいて、前記デッキは、上面が商品を載置するための載置面を構成する載置板と、左右一対のアーム部を介して前記載置板の前端部より離隔する態様で配設されることで該載置板との間に前記通風孔部を形成し、かつ上端部が該載置板の上面よりも上方に突出するフェンス部と、前記フェンス部の前面に沿って上方に向けて延在する上延部と、前記上延部の延在端部より前方に向けて延在する前延部と、前記前延部の延在端部より漸次後方に傾斜する態様で上方に向けて延在してプライスカードが装着される装着部とを有するプライスレールとを有し、前記前延部は、前記上延部の延在端部より漸次下方に傾斜する態様で前方に延在することにより、該上延部との相互間に手指の進入を許容するスペースを形成して把手として機能することを特徴とする。
【００１１】
また本発明は、上記ショーケースにおいて、前記プライスレールは、前記フェンス部の左右方向の全域に亘って形成されたことを特徴とする。
【発明の効果】
【００１２】
本発明によれば、プライスレールを構成する前延部が、上延部の延在端部より漸次下方に傾斜する態様で前方に延在することにより、該上延部との相互間に手指の進入を許容するスペースを形成して把手として機能するので、デッキに対して商品の補充作業を行う作業者は、該スペースに手指を進入させて前延部の任意の個所に手指を引っ掛けてデッキを収納位置から補充位置にスライドさせることができ、デッキを収納位置から補充位置にスライドさせることを容易に行うことができるという効果を奏する。
【図面の簡単な説明】
【００１３】
【図１】図１は、本発明の実施の形態であるショーケースを模式的に示す断面側面図である。
【図２】図２は、本発明の実施の形態であるショーケースを模式的に示す断面側面図である。
【図３】図３は、図１及び図２に示したデッキの前端部分を拡大して示す断面図である。
【発明を実施するための形態】
【００１４】
以下に添付図面を参照して、本発明に係るショーケースの好適な実施の形態について詳細に説明する。
【００１５】
図１は、本発明の実施の形態であるショーケースを模式的に示す断面側面図である。ここで例示するショーケースは、例えばスーパーマーケットやコンビニエンスストア等の店舗において商品を収容するものである。
【００１６】
このショーケースのケース本体１には、底面部１Ａ、後面部１Ｂ及び天面部１Ｃが設けてあり、これら底面部１Ａ、後面部１Ｂ及び天面部１Ｃによって囲まれる部分に前面及び両側面が開口した商品収容域２が構成してある。
【００１７】
上記ケース本体１には、上記商品収容域２と区画される態様で、通風路３が設けてある。通風路３は、底面部１Ａ、後面部１Ｂ及び天面部１Ｃの内部に形成されており、下側通風ダクト３ａ、後側通風ダクト３ｂ及び上側通風ダクト３ｃを備えている。
【００１８】
下側通風ダクト３ａは、底面部１Ａにおいて、商品収容域２の底面を構成する底面板４ａよりも下方となる部分に構成してある。底面板４ａの前端部分には、左右方向に沿って延在する吸込口５が形成してある。
【００１９】
後側通風ダクト３ｂは、後面部１Ｂにおいて、商品収容域２の背面を構成する背面板４ｂよりも後方となる部分に構成してある。この後側通風ダクト３ｂは、下端部分が下側通風ダクト３ａの後端部分と連通している。
【００２０】
上側通風ダクト３ｃは、天面部１Ｃにおいて、商品収容域２の天面を構成する天面板４ｃよりも上方となる部分に構成してある。天面板４ｃの前端部分には、左右方向に沿って延在する吹出口６が形成してある。
【００２１】
上記通風路３の内部には、蒸発器７や送風ファン８が設置してある。蒸発器７は、図示せぬコンデンシングユニットとともに冷凍サイクルを構成し、通風路３を通過する空気との間において熱交換を行うものである。
【００２２】
このショーケースでは、コンデンシングユニット及び送風ファン８を駆動すれば、蒸発器７を通過した空気が通風路３を通じて商品収容域２に循環供給され、商品収容域２が所望の冷蔵温度に維持されることになる。
【００２３】
商品収容域２には、上下に沿って複数段（図示の例では６段）の商品載置棚１１が設けてある。商品載置棚１１は、背面板４ｂの左右両側部に設けられた図示せぬ棚支柱に取り付けてあり、商品を載置して陳列させるものである。また商品収容域２には、最下段の商品載置棚１１よりも下方側であって底面板４ａの上方側に、すなわち底部近傍に、デッキ２０が設けてある。
【００２４】
デッキ２０は、デッキブラケット１０に支持されるもので、載置板２１とアーム部２２とを備えて構成してある。
【００２５】
デッキブラケット１０は、左右一対のものであり、それぞれの前後方向が長手方向となる長尺状のものである。これらデッキブラケット１０は、互いの内面が対向する態様でケース本体１に配設してある。尚、ここでいう「内面」とは、左側のデッキブラケット１０では右面をさし、右側のデッキブラケット１０では左面をさすものとする。
【００２６】
載置板２１は、前端部及び後端部が上方に屈曲された平板状部材であり、上面２１ａが商品を載置するための載置面を構成している。この載置板２１は、図には明示しないが、左右両側部の下面に設けられた補強部がスライダを介してデッキブラケット１０の内面に支持されることで、デッキブラケット１０の間に架設してあり、デッキブラケット１０に対して、前後方向に沿ってスライド可能である。すなわち、デッキ２０は、図１に示したように載置板２１が最も後方に配置される収納位置と、図２に示すように載置板２１が最も前方に配置される補充位置との間で、前後方向に沿ってスライド可能である。
【００２７】
アーム部２２は、左右一対のものであり、それぞれが載置板２１の左右両端部分に取り付けてある。より詳細には、左側のアーム部２２は、載置板２１の左端部分の前方側に取り付けてあり、右側のアーム部２２は、載置板２１の右端部分の前方側に取り付けてある。これらアーム部２２の先端部分２２ａは、図３に示すように、互いに内方に屈曲しており、ネジ等の締結部材２３を介してフェンス部２４及びプライスレール２５が締結してある。
【００２８】
フェンス部２４は、例えばアクリル樹脂等の樹脂材から構成された光透過性を有する平板状部材であり、左右方向が長手方向となる長尺状のものである。このフェンス部２４は、左右一対のアーム部２２の先端部分２２ａ同士を連結する態様で設けてある。より詳細には、フェンス部２４は、上端部が載置板２１の上面２１ａよりも上方に突出する態様で、アーム部２２を介して載置板２１の前端部より離隔して設けてある。かかるフェンス部２４は、これらアーム部２２とともに載置板２１との間に通風孔部２６を形成している。通風孔部２６は、デッキ２０が収納位置に配置される場合に、吸込口５の直上域に位置して該吸込口５に連通している。
【００２９】
プライスレール２５は、例えば板金等の金属材料により構成されるもので、フェンス部２４の左右方向の全域に亘って延在する長尺状のものである。このプライスレール２５は、フェンス部２４の前面に沿って上方に延在する上延部２５１と、上延部２５１の延在端部より漸次下方に傾斜する態様で前方に延在する前延部２５２と、前延部２５２の延在端部より漸次後方に傾斜する態様で上方に向けて延在してプライスカード３０が装着される装着部２５３とを有している。
【００３０】
このプライスレール２５において、前延部２５２は、上延部２５１と成す角αが例えば４０°〜６０°の大きさとされ、好ましくは４５°〜５５°の大きさとされており、上延部２５１との相互間に手指の進入を許容するスペースＳを形成している。かかる前延部２５２は、該スペースＳに進入した手指の把手として機能するものである。
【００３１】
以上のような構成を有するショーケースによれば、プライスレール２５を構成する前延部２５２が、上延部２５１の延在端部より漸次下方に傾斜する態様で前方に延在することにより、該上延部２５１との相互間に手指の進入を許容するスペースＳを形成して把手として機能するので、デッキ２０に対して商品の補充作業を行う作業者は、該スペースＳに手指を進入させて前延部２５２の任意の個所に手指を引っ掛けてデッキ２０を収納位置から補充位置にスライドさせることができ、デッキ２０を収納位置から補充位置にスライドさせることを容易に行うことができる。
【００３２】
また前延部２５２が把手として機能するので、従来のように、プライスレールの左右両端域に把手部を設ける必要がなく、部品点数を削減して製造コストの低減化を図ることができる。しかも、プライスレール２５がフェンス部２４の左右方向の全域に亘って延在しているので、複数のショーケースが左右に並設される場合に、隣接するショーケースのプライスレール２５との間隙を小さくすることができ、見栄えの向上を図ることができる。
【００３３】
以上、本発明の好適な実施の形態について説明したが、本発明はこれに限定されるものではなく、種々の変更を行うことができる。
【００３４】
上述した実施の形態では、プライスレール２５は、フェンス部２４の左右方向の全域に亘って延在していたが、本発明においては、プライスレールは、フェンス部の左右方向の全域に亘って設けられていなくてもよい。
【符号の説明】
【００３５】
１…ケース本体、１Ａ…底面部、１Ｂ…後面部、１Ｃ…天面部、２…商品収容域、３…通風路、５…吸込口、６…吹出口、７…蒸発器、８…送風ファン、１１…商品載置棚、２０…デッキ、２１…載置板、２１ａ…上面、２２…アーム部、２２ａ…先端部分、２４…フェンス部、２５…プライスレール、２５１…上延部、２５２…前延部、２５３…装着部、２６…通風孔部、３０…プライスカード、Ｓ…スペース。
【図１】
2020174908.tif 000003
【図２】
2020174908.tif 000004
【図３】
2020174908.tif 000005